(57)【要約】【課題】  液化石油ガスバルク貯槽等の防護構造としての、車両等の火気から遮る隔壁パネルにおいて、複数枚の隔壁パネルを横に並べ組み合わせた合わせ目の隙間を無くし、確実にガスの漏洩を防ぐことができる隔壁パネルを提供する。【解決手段】  隔壁パネル10はその両側面11，12を平面視で大略コの字状に折り曲げ、その合わせ目14となる両側面11，12の一側面11に凸条11aをもう一側面12に凹溝12aを設け、凸条11aと凹溝12aが組み合うように密着させて固定した。【選択図】図７
0003165926.tif 000002
【実用新案登録請求の範囲】
【請求項１】
車止め付き隔壁パネルと、車止め付き隔壁パネルまたは車止めの付かない隔壁パネルを横に並べ組み合わせて使用する液化石油ガスバルク貯槽等の隔壁パネルにおいて、隔壁パネルはその両側面を平面視で大略コの字状に折り曲げ、その合わせ目となる両側面の一側面に凸条をもう一側面に凹溝を設け、凸条と凹溝が組み合うように密着させて固定した液化石油ガスバルク貯槽等の隔壁パネル。
【考案の詳細な説明】
【技術分野】
【０００１】
本考案は、液化石油ガスバルク貯槽や液化石油ガスバルク容器の防護構造としての、車両等の火気から遮る隔壁パネルに関する。
【背景技術】
【０００２】
屋外に設置する液化石油ガスバルク貯槽等では、「液化石油ガスの保安の確保及び取引の適正化に関する法律施行規則」の省令により「当該容器を置く位置から二メートル以内にある火気をさえぎる措置を講じる」ことが義務付けられている。
【０００３】
この火気とは、風呂釜や電気設備などの炎や火花、あるいは高熱を発生する、または発生する恐れがあるもので、駐車場の車両等も含まれる。
【０００４】
このような、二メートル以内にある液化石油ガスが充填されたバルク貯槽等を火気から遮るための措置として、火気の熱が容器に影響を及ぼさないよう、かつ容器から漏洩したガスが火気のほうへ流れないようにする隔壁パネルにより、二メートル以上の火気との迂回距離を取れるようにして漏洩の危険に対処したものが知られている。
【０００５】
例えば、特開平６−２１２７１５号公報に示されるように、ＬＰガスが充填されたガスボンベの設置箇所と火器の設置箇所との間に設けられるパネルであって、パネル本体の固定すべき壁面側の端部と設置面側の端部から、該壁面と該設置面に接当させる薄板状の弾性部材を延出させたものである。
【０００６】
また、同省令により「自動車等車両が接触しない措置を講ずること」が義務付けられている。
【０００７】
このような、バルク貯槽等を火気から遮り自動車等車両が接触しない措置として、例えば実用新案登録第３０９０９９６号公報に示されるように、逆Ｕの字形状の設置空間の周囲を囲む保護柵（車止め）が知られている。
【０００８】
また、通気を遮るために、建築用途では縁甲板や各種フローリングの継ぎ目として、継ぎ目の一方が凹（雌実）で相手側が凸（雄実）に加工されている、「実はぎ接合」が知られている。
【０００９】
この「実はぎ接合」を薄鋼板で実現したものも、例えば特開２００６−２８８３４号公報で知られている。
【先行技術文献】
【特許文献】
【００１０】
【特許文献１】特開平６−２１２７１５号公報
【特許文献２】実用新案登録第３０９０９９６号公報
【特許文献３】特開２００６−２８８３４号公報
【考案の概要】
【考案が解決しようとする課題】
【００１１】
上記の車止めに隔壁パネルを取り付けることも考えられるが、縦長や横長等、大きさの異なるバルク貯槽等と駐車場の間にそれを設けるためには、規格化された車止め付き隔壁パネル複数枚を横に並べ組み合わせて使用する必要がある。
【００１２】
つまり、隔壁パネルは文字通り難燃性（通常は鋼板）の矩形の板であり、その両側面を平面視でＬの字状またはコの字状に折り曲げ、その端面どうしを合わせてボルトで締め付け、横に並べ組み合わせて使用する。隔壁パネルの高さはバルク貯槽等の大きさにもよるが、通常二メートル以上の高さであり、その長い合わせ目が波打って隙間が開き、ガスの漏洩を防ぐことが難しい。
【００１３】
隔壁パネルの両側面を平面視でＺ字状に折り曲げて組み合わせ、合わせ目の隙間を無くすことも考えられるが、いずれかの終端に板が突出することとなり危険である。
【００１４】
そこで本考案は、複数枚の隔壁パネルを横に並べ組み合わせた合わせ目の隙間を無くし、確実にガスの漏洩を防ぐことができ、終端に板が突出することが無い液化石油ガスバルク貯槽等の隔壁パネルを提供することを目的とする。
【課題を解決するための手段】
【００１５】
請求項１の考案の液化石油ガスバルク貯槽等の隔壁パネルは、車止め付き隔壁パネル10と、車止め付き隔壁パネル10または車止めの付かない隔壁パネル20を横に並べ組み合わせて使用する液化石油ガスバルク貯槽等の隔壁パネルにおいて、隔壁パネル10，20はその両側面11，12を平面視で大略コの字状に折り曲げ、その合わせ目14となる両側面11，12の一側面11に凸条11aをもう一側面12に凹溝12aを設け、凸条11aと凹溝12aが組み合うように密着させて固定したものである。
【考案の効果】
【００１６】
請求項１の考案によれば、隔壁パネル10，20はその両側面11，12を平面視で大略コの字状に折り曲げ、その合わせ目14となる両側面11，12の一側面11に凸条11aをもう一側面12に凹溝12aを設け、凸条11aと凹溝12aが組み合うように密着させて固定したことにより、横に並べ組み合わせた合わせ目14の隙間を無くし、火気へのガスの漏洩を確実に防ぐことができる。
【００１７】
また、隔壁パネル10，20はその両側面11，12を平面視で大略コの字状に折り曲げたことにより、隔壁パネル10，20の終端に板が突出することが無いから、突出した板による怪我の危険が無い。
【図面の簡単な説明】
【００１８】
【図１】図１は液化石油ガスバルク貯槽等の隔壁パネルを示す正面図である。（実施例１）
【図２】図２は図１の背面図である
【図３】図３は図１の右側面図である。
【図４】図４は図１の平面図である。
【図５】図５は図１の斜視図である。
【図６】図６は図２の斜視図である。
【図７】図７は図４の要部を示す部分拡大図である。
【図８】図８は図７の合わせ目を離した図である。
【図９】図９は別な液化石油ガスバルク貯槽等の隔壁パネルを示す背面図である。（実施例２）
【図１０】図１０はさらに別な液化石油ガスバルク貯槽等の隔壁パネルを示す背面図である。（実施例３）
【考案を実施するための形態】
【００１９】
複数枚の隔壁パネル10，20を横に並べ組み合わせた合わせ目14の隙間を無くし、確実にガスの漏洩を防ぐことができ、終端に板が突出することが無い液化石油ガスバルク貯槽４等の隔壁パネル10，20を提供する目的を、隔壁パネル10，20はその両側面11，12を平面視で大略コの字状に折り曲げ、その合わせ目14となる両側面11，12の一側面11に凸条11aをもう一側面12に凹溝12aを設け、凸条11aと凹溝12aが組み合うように密着させて固定したことで実現した。
【実施例１】
【００２０】
図１は、本考案の第１実施例に係る液化石油ガスバルク貯槽の隔壁パネル１である。
【００２１】
この隔壁パネル１は、液化石油ガスバルク貯槽４やその他の可燃性ガス（例えば水素ガス）容器（それらを含めて液化石油ガスバルク貯槽等という）を、二メートル以上の火気との迂回距離を取れるようにして漏洩の危険に対処するものである。
【００２２】
図３に示すのは地上設置の危険物としての液化石油ガスバルク貯槽４であって、コンクリートで方形に形成され地面下に半ば埋め込まれた基礎Ｅを設け、基礎Ｅ面上に略円筒形の液化石油ガスバルク貯槽４を固定設置する。
【００２３】
液化石油ガスバルク貯槽４は、下部に脚が設けられ、上部側面に安全弁や液面計などの付属機器が設けられ、それらをプロテクターで覆っている。
【００２４】
液化石油ガスバルク貯槽４の設置空間の周囲の一面に二個の車止め２を設け、車止め２は基礎Ｂ面上に固定設置される。一個の車止め２の大きさは、高さが約１メートル、幅が約７０センチメートルである。
【００２５】
車止め２には逆Ｕの字形状に鋼管を二箇所で９０度に曲げて形成され、その左右における垂直部分の下端に各々基礎板を設け、基礎板は基礎Ｂ面上にアンカーボルトで固定される。車止め２の液化石油ガスバルク貯槽４側であって、垂直部中間から基礎Ｅ上に斜めに車止め補強脚2aを設け、車止め補強脚2aは基礎Ｂ面上にアンカーボルトで固定される。
【００２６】
二個の車止め２の液化石油ガスバルク貯槽４と反対側に、二枚の車止め付き隔壁パネル10を設ける。
【００２７】
二枚の車止め付き隔壁パネル10を一直線上に横に並べ組み合わせて使用する。一枚の車止め付き隔壁パネル10は大略矩形の板であり、その大きさは、高さが約２．３メートル、幅が約８０センチメートルである。二枚の車止め付き隔壁パネル10の液化石油ガスバルク貯槽４側上部に、それらを連結して補強する補強板３を水平方向に長く設けて固定する。
【００２８】
車止め付き隔壁パネル10は、その左側面11と右側面12を液化石油ガスバルク貯槽４側に平面視で大略コの字状に折り曲げ、その先端部15は車止め付き隔壁パネル10と平行となるように曲げ、さらにヘミング曲げをしている。
【００２９】
車止め付き隔壁パネル10の上端は、液化石油ガスバルク貯槽４側にＬの字状に折り曲げた上端面13とする。車止め付き隔壁パネル10の下端は、基礎Ｂ面上に接して火気へのガスの漏洩を防ぐ。
【００３０】
二枚の車止め付き隔壁パネル10の合わせ目14には、建築用途の実はぎ接合と同様な、左側面11中間部に台形状の凸条11aを、右側面12中間部に台形状の凹溝12aを設ける。
【００３１】
図７に示すように、二枚の車止め付き隔壁パネル10の合わせ目14では、左側面11の凸条11aと右側面12の凹溝12aが組み合うように密着させ、左側面11と右側面12に設けた固定孔16にボルトを通して固定する。これにより、火気へのガスの漏洩を確実に防ぐことができる。
【実施例２】
【００３２】
図９は、本考案の第２実施例に係る液化石油ガスバルク貯槽の隔壁パネル５である。実施例１と同一の番号で示しているものは同旨の物であり、説明を省略する。
【００３３】
液化石油ガスバルク貯槽４の設置空間の周囲の一面に一個の車止め２を設け、一個の車止め２の液化石油ガスバルク貯槽４と反対側に、一枚の車止め付き隔壁パネル10を設ける。
【００３４】
一枚の車止め付き隔壁パネル10の横に車止めの付かない隔壁パネル20を並べ組み合わせて使用する。
【００３５】
車止めの付かない隔壁パネル20も車止め付き隔壁パネル10と同様に、車止めの付かない隔壁パネル20と車止め付き隔壁パネル10の合わせ目では、左側面11の凸条11aと右側面12の凹溝12aが組み合うように密着させ、左側面11と右側面12に設けた固定孔にボルトを通して固定する。これにより、火気へのガスの漏洩を確実に防ぐことができる。
【実施例３】
【００３６】
図１０は、本考案の第３実施例に係る液化石油ガスバルク貯槽の隔壁パネル６である。実施例１と同一の番号で示しているものは同旨の物であり、説明を省略する。
【００３７】
液化石油ガスバルク貯槽４の設置空間の周囲の一面に二個の車止め２を設け、二個の車止め２の液化石油ガスバルク貯槽４と反対側に、二枚の車止め付き隔壁パネル10を設ける。
【００３８】
二枚の車止め付き隔壁パネル10の間に車止めの付かない隔壁パネル20を並べ組み合わせて使用する。
【００３９】
車止めの付かない隔壁パネル20も車止め付き隔壁パネル10と同様に、車止めの付かない隔壁パネル20と車止め付き隔壁パネル10の合わせ目では、左側面11の凸条11aと右側面12の凹溝12aが組み合うように密着させ、左側面11と右側面12に設けた固定孔にボルトを通して固定する。これにより、火気へのガスの漏洩を確実に防ぐことができる。
【００４０】
以上の実施例では、左側面11に凸条11aを右側面12に凹溝12aを設けた例を示したが、凸条11aと凹溝12aは左右反対に設けても良い。
【００４１】
また、二枚の車止め付き隔壁パネル10を一直線上に横に並べ組み合わせて使用する例を示したが、平面視がＬの字形状の車止めの付かない隔壁パネルで接合して全体として平面視がＬの字形状に配置しても良い。
【符号の説明】
【００４２】
10  車止め付き隔壁パネル
11  左側面としての側面
11a  凸条
12  右側面としての側面
12a  凹溝
14  合わせ目
20  車止めの付かない隔壁パネル
【図１】
0003165926.tif 000003
【図２】
0003165926.tif 000004
【図３】
0003165926.tif 000005
【図４】
0003165926.tif 000006
【図５】
0003165926.tif 000007
【図６】
0003165926.tif 000008
【図７】
0003165926.tif 000009
【図８】
0003165926.tif 000010
【図９】
0003165926.tif 000011
【図１０】
0003165926.tif 000012